(57)【要約】      （修正有）【課題】広告主のイメージアップを図り、広告効果を高めることを可能にする広告方法を提供する。【解決手段】広告主１２は、広告代理店１０に対して、掲載する広告の内容、広告の種類の属性、その広告を付した空気清浄機を設置する希望場所に関する属性情報を通知する。空気清浄機設置店１４は、広告代理店１０に対して、無料レンタルする空気清浄機に付すことが可能な広告の種類の属性情報、空気清浄機を設置する場所等に関する属性情報を通知する。広告代理店１０は、広告主１２および空気清浄機設置店１４から上記通知によって得た属性情報を基に、広告主１２と空気清浄機設置店１４との条件（要求）をマッチングさせる。【選択図】図２
2011043765.tif 000002
【特許請求の範囲】
【請求項１】
設置場所の許可を経て設置されるレンタル商品に広告を付す広告方法であって、
広告主からレンタル商品の設置を希望する場所の属性を示す情報を取得する場所情報取得工程と、
設置場所管理者から、設置するレンタル商品に付すことが可能な広告の属性を示す情報を取得する広告属性取得工程と、
前記場所情報取得工程および前記広告属性取得工程で取得した情報を基に、前記レンタル商品の設置場所と、当該レンタル商品に付す広告を決定する決定工程と
を有する広告方法。
【請求項２】
前記レンタル商品は、空気清浄機である
請求項１に記載の広告方法。
【請求項３】
前記レンタル商品は、設置場所に無料でレンタルされる
請求項１または請求項２に記載の広告方法。
【請求項４】
正面に広告が付され、
設置場所に無料でレンタルされる
空気清浄機
【請求項５】
前記正面あるいは側面には、前記広告主の名刺あるいはパンフレットを収用するケースが設けられている
請求項４に記載の空気清浄機。
【請求項６】
前記正面あるいは側面には、機械的に読み取り可能なパターンが形成されている
請求項４に記載の空気清浄機。
【請求項７】
空気清浄機の空気の吸引口あるいは排出口に広告用シートを張り付ける貼り付け工程と、
前記張り付けた広告シートに対して、前記吸引口あるは排出口のラインに沿って切り込みを入れる切り込み工程と、
前記広告シートの前記ラインに沿って切り込まれた箇所を、前記吸引口あるいは排出口に向けて折り込む工程と
を有する広告シート貼り付け方法。
【発明の詳細な説明】
【技術分野】
【０００１】
本発明は、広告方法、空気清浄機および広告シート貼り付け方法に関するものである。
【背景技術】
【０００２】
商品・サービスの広告効果を高めるために、その広告のターゲットとなる相手にうまく提供し、しかも良いイメージを持ってもらう必要がある。
【発明の概要】
【発明が解決しようとする課題】
【０００３】
しかしながら、近年、インターネットのＷｅｂの画面や雑誌、看板等の広告枠に掲載された広告は、広告として見られた時点であまり着目されなくなる傾向が強い。
そのため、近年、広告効果が低下しているという問題がある。
【０００４】
本発明はかかる事情に鑑みてなされたものであり、その目的は、広告主のイメージアップを図り、広告効果を高めることを可能にする広告方法、空気清浄機および広告シート貼り付け方法を提供することにある。
【課題を解決するための手段】
【０００５】
本発明は、広告主のイメージアップのために、広告掲載と共に、その場所に対して何らかのメリットを与えられることを可能にする。
【０００６】
第１の観点の発明は、設置場所の許可を経て設置されるレンタル商品に広告を付す広告方法であって、広告主からレンタル商品の設置を希望する場所の属性を示す情報を取得する場所情報取得工程と、設置場所管理者から、設置するレンタル商品に付すことが可能な広告の属性を示す情報を取得する広告属性取得工程と、前記場所情報取得工程および前記広告属性取得工程で取得した情報を基に、前記レンタル商品の設置場所と、当該レンタル商品に付す広告を決定する決定工程とを有する。
【０００７】
好適には、第１の観点の発明の広告方法では、前記レンタル商品は、空気清浄機である。
好適には、第１の観点の発明の広告方法では、前記レンタル商品は、設置場所に無料でレンタルされる。
【０００８】
第２の観点の発明の空気清浄機は、正面に広告が付され、設置場所に無料でレンタルされる。
好適には、第２の観点の発明の空気清浄機は、前記正面あるいは側面には、前記広告主の名刺あるいはパンフレットを収用するケースが設けられている。
好適には、第２の観点の発明の空気清浄機では、前記正面あるいは側面には、機械的に読み取り可能なパターンが形成されている。
【０００９】
第３の観点の発明の広告シート貼り付け方法では、空気清浄機の空気の吸引口あるいは排出口に広告用シートを張り付ける貼り付け工程と、前記張り付けた広告シートに対して、前記吸引口あるは排出口のラインに沿って切り込みを入れる切り込み工程と、前記広告シートの前記ラインに沿って切り込まれた箇所を、前記吸引口あるいは排出口に向けて折り込む工程とを有する。
【発明の効果】
【００１０】
本発明によれば、広告主のイメージアップを図り、広告効果を高めることを可能にする広告方法、空気清浄機および広告シート貼り付け方法を提供することができる。
【図面の簡単な説明】
【００１１】
【図１】図１は、本発明の実施形態に関わる空気清浄機を用いた広告システムのビジネスモデルの概念図である。
【図２】図２は、本発明の実施形態における広告代理店、広告主および空気清浄機設置店の間でのやり取りのフローを説明するための図である。
【図３】図３は、本発明の実施形態に関わる空気清浄機の正面図である。
【図４】図４は、図３に示す空気清浄機の斜めから見た図である。
【図５】図５は、図３に示す空気清浄機の広告シートの折り込み状態を説明するための図である。
【図６】図６は、図１に示すビジネスモデルをネットワークシステムを使って実現した場合の一例を説明するための図である。
【発明を実施するための形態】
【００１２】
以下、本発明の実施形態に関わる空気清浄機を用いた広告システムについて説明する。
＜第１実施形態＞
図１は、本発明の実施形態に関わる空気清浄機を用いた広告システム１のビジネスモデルの概念図である。
図１に示すように、本システムでは、広告代理店１０が、広告主１２と空気清浄機設置店１４との間に入る。
【００１３】
図２は、広告代理店１０、広告主１２および空気清浄機設置店１４の間でのやり取りのフローを説明するための図である。
ステップＳＴ１：
広告主１２は、広告代理店１０に対して、自社の広告掲載を依頼する連絡をする。このとき、広告主１２は、広告代理店１０に対して、掲載する広告の内容、広告の種類の属性、その広告を付した空気清浄機を設置する希望場所に関する属性情報を通知する。これらの属性情報は、一例であり、その種類および数は任意である。
【００１４】
ステップＳＴ２：
空気清浄機設置店１４は、広告代理店１０に対して、無料レンタルする空気清浄機に付すことが可能な広告の種類の属性情報、空気清浄機を設置する場所等に関する属性情報を通知する。これらの属性情報は、一例であり、その種類および数は任意である。
【００１５】
ステップＳＴ３：
広告代理店１０は、広告主１２および空気清浄機設置店１４から上記通知によって得た属性情報を基に、広告主１２と空気清浄機設置店１４との条件（要求）をマッチングさせる。
そして、広告代理店１０は、条件にマッチングした場合に、広告主１２および空気清浄機設置店１４に対して、マッチングした相手に関する情報を提供し、広告掲載および空気清浄機の設置を進めるかの確認を取る。
【００１６】
ステップＳＴ４：
広告代理店１０は、上記確認が取れると、広告主１２に広告費を請求する。
【００１７】
ステップＳＴ５：
広告代理店１０は、広告主１２から受けた広告画像を基に、空気清浄機に張り付ける広告シートを作成する。
そして、広告代理店１０は、図３に示すように、空気清浄機３０の正面に広告シート３６を張り付ける。
そして、空気清浄機３０の正面に形成された吸引口３１のラインに沿って切り込みを入れ、その切り込まれた箇所を、吸引口３１に向けて折り込む。
これにより、空気清浄機３０の正面からは、広告の絵柄が鮮明に見えると共に、吸引口３１から空気を適切に吸引できる。
【００１８】
ステップＳＴ６：
広告代理店１０は、空気清浄機設置店１４に空気清浄機３０を無料でレンタルする。
【００１９】
ステップＳＴ７：
空気清浄機設置店１４は、無料レンタルされた空気清浄機３０を、ステップＳＴ２で通知した設置場所に設置する。
【００２０】
広告システム１では、上述したように広告主１２は、空気清浄機３０に広告を付すことで、空気清浄機３０の設置のスポンサーとして、空気清浄機３０が設置された場所の空気清浄に貢献できる。そのため、広告掲載場所の関係者へのイメージアップができる。
また、空気清浄機設置店１４は、無料で空気清浄機３０を設置できる。空気清浄機設置店１４は、自らの管轄場所に、空気清浄機３０を設置することで、その周辺関係者（従業員または顧客）の健康や環境に配慮している姿勢を示すことができ、イメージアップができる。
こように、広告システム１を使ったビジネスモデルは、広告主１２および空気清浄機設置店１４の双方のメリットにつながるものである。
【００２１】
また、広告システム１では、社内等の通常は広告スペースが設けられていない箇所にも広告を出すことができ、高い広告効果を発揮できる可能性がある。
【００２２】
空気清浄機３０は、空気清浄機であれば特に限定されないが、例えば、フィルタとして酵素を付着した酵素フィルタを用いる。この酵素フィルタは、ガラス繊維のフィルタに酵素を化学反応させるもので、細菌を捕集することができる。
【００２３】
なお、空気清浄機３０の正面あるいは側面に、例えば、広告主１２の名刺あるいはパンフレットを収容するケースが設けてもよい。
また、空気清浄機３０の正面あるいは側面に、機械的に読み取り可能なパターン（例えば、ＱＲコード（登録商標）等の２次元バーコードを形成し、カメラ付き携帯電話機で読み取って、広告主１２のＷｅｂサイトに自動的にアクセスするようにしてもよい。
【００２４】
＜第２実施形態＞
本実施形態では、図１および図２に示すビジネスモデルをネットワークシステムを用いて実現した場合を例示する。
図６は、本実施形態のネットワークシステム１０１の構成図である。
図６に示すように、ネットワークシステム１０１は、例えば、広告代理店サーバ１１０、広告主端末装置１１２および空気清浄機設置店端末装置１１４を有し、これらがネットワーク９を介して通信する。
広告主１２および空気清浄機設置店１４は、それぞれ複数あり、それぞれが広告主端末装置１１２および空気清浄機設置店端末装置１１４を使用する。
【００２５】
広告主１２は、広告主端末装置１１２を操作して図２に示すステップＳＴステップＳＴ１，ＳＴ４の処理を実行する。
広告代理店１０は、広告代理店サーバ１１０を操作して、図２に示すステップＳＴ３，ＳＴ５，ＳＴ６に関連する処理を実行する。
空気清浄機設置店１４は、空気清浄機設置店端末装置１１４を操作して、図２に示すステップＳＴ２，ＳＴ７に関連する処理を行う。
【００２６】
ネットワークシステム１０１によれば、広告代理店１０および空気清浄機設置店１４をネットワーク９を介して広範囲に募集することができ、より条件にあった広告掲載および空気清浄機３０の設置ができる。
【００２７】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００２８】
例えば、上述した実施形態では、空気清浄機３０の正面に吸引口３１がある場合を例示したが、空気清浄機３０の正面に空気排出口があってもよいし、吸引口３１および吸引口が正面以外の場所にあってもよい。
【００２９】
また、上述した実施形態では、本発明のレンタル品として、空気清浄機３０を例示したが、その他、加湿器、コンピュータ等の電子機器等であってもよい。ただし、健康やエコ等のイメージを想起させるものが好ましい。
【００３０】
また、上述した実施形態では、空気清浄機３０に広告を貼り付ける場合を例示したが、ディスプレイを設け、このディスプレイに広告画像を表示してもよい。このとき、空気清浄機３０は、通信機能を有していても、有していなくてもよい。通信機能を有している場合は、サーバから自動的に広告画像を更新できるようにする。
【００３１】
なお、上述した実施形態では、空気清浄機設置店１４に空気清浄機３０を無料でレンタルする場合を例示したが、有償でレンタルしてもよい。
【産業上の利用可能性】
【００３２】
本発明は、特定の物に広告を掲載するシステムに適用可能である。
【符号の説明】
【００３３】
１…広告システム
１０…広告代理店
１２…広告主
１４…空気清浄機設置店
３０…空気清浄機
３１…吸引口
１０１…ネットワークシステム
１１０…広告代理店サーバ
１１２…広告主端末装置
１１４…空気清浄機設置店端末装置
【図１】
2011043765.tif 000003
【図２】
2011043765.tif 000004
【図３】
2011043765.tif 000005
【図４】
2011043765.tif 000006
【図５】
2011043765.tif 000007
【図６】
2011043765.tif 000008